(57)【要約】【課題】ユーザが希望する構図の撮影情報を表示するデジタルカメラを提供する。【解決手段】撮像部と、表示部と、撮影方向の移動を検出する移動検出部と、前記撮像部から出力された画像データと前記検出された撮影方向の移動に関する情報とを取得する情報取得部と、前記情報取得部が取得した複数の画像データと撮影方向の移動に関する情報とに基づいて、画像データを合成する画像合成部と、撮影可能な構図に関する情報を指示する指示情報部と、を備え、前記指示情報部は、前記画像合成部によって合成された画像データと前記撮像光学系の画角とに基づいて、前記合成された画像データが前記撮像光学系によって撮影可能であるかを示す情報を前記表示部に表示する。【選択図】図１
2010268029.tif 000002
【特許請求の範囲】
【請求項１】
撮像光学系からの光束を結像して画像信号に変換し、これを画像データとして出力する撮像部と、
前記画像データを表示する表示部と、
撮影方向の移動を検出する移動検出部と、
前記撮像部によって出力された画像データと、前記移動検出部によって検出された撮影方向の移動に関する情報とを取得する情報取得部と、
前記情報取得部が取得した複数の画像データと撮影方向の移動に関する情報とに基づいて、画像データを合成する画像合成部と、
撮影可能な構図に関する情報を指示する指示情報部と、
を備え、
前記指示情報部は、前記画像合成部によって合成された画像データと前記撮像光学系の画角とに基づいて、前記合成された画像データが前記撮像光学系によって撮影可能であるかを示す情報を前記表示部に表示することを特徴とするデジタルカメラ。
【請求項２】
前記画像合成部は、前記情報取得部が取得した複数の画像データと撮影方向の移動に関する情報とに基づいて、前記撮像部によって取得される画像データの画角よりも大きい画角の画像データを合成することを特徴とする請求項１に記載のデジタルカメラ。
【請求項３】
前記指示情報部は、前記画像合成部によって合成された画像データと、前記撮像光学系によって撮影可能な画角を示す情報とを、前記表示部に表示することを特徴とする請求項２に記載のデジタルカメラ。
【請求項４】
前記指示情報部は、前記合成された画像データを撮影するために必要な前記撮像光学系に関する情報を、前記表示部に表示することを特徴とする請求項１に記載のデジタルカメラ。
【請求項５】
前記撮像光学系が交換可能に構成されており、
前記指示情報部は、前記合成された画像データが、前記交換可能な撮像光学系によって撮影可能であるかを示す情報を前記表示部に表示することを特徴とする請求項１に記載のデジタルカメラ。
【請求項６】
前記撮像光学系に関する情報を入力する入力部を備え、
前記指示情報部は、前記入力された情報に基づいて、前記合成された画像データが、前記入力された撮像光学系の少なくとも一つによって撮影可能であるかを示す情報を、前記表示部に表示することを特徴とする請求項５に記載のデジタルカメラ。
【発明の詳細な説明】
【技術分野】
【０００１】
本発明は、ユーザが希望する構図の撮影情報を表示するデジタルカメラに関するものである。
【背景技術】
【０００２】
撮像光学系によって結像した被写体像を電気信号として変換し、これを電子データとして記録するデジタルカメラにおいて、光学ズームと電子ズームとを備えたものが広く普及している。
【０００３】
光学ズーム又は電子ズームにより得られる画像は、ＬＣＤ等の表示装置に表示される。これら光学ズーム及び電子ズームは、ユーザが指定した構図（倍率）に対応して変更される。ユーザは、表示された画像を見ながら、希望する構図になるようにデジタルカメラを操作して、被写体像を撮影する。
【０００４】
このようなデジタルカメラとして、Ｗｉｄｅ端画角（広角端画角）で、複数の画角枠を表示させ、所望の画角を選択することで画面構成を決めやすくする撮影装置（特許文献１参照。）が開示されている。
【０００５】
また、撮影倍率変更前のＷｉｄｅ端画角の画像に、撮影倍率が拡大変更されたときの撮影領域を示す領域画像が重ねられた合成画像をＬＣＤに表示する撮像装置（特許文献２参照。）も開示されている。
【先行技術文献】
【特許文献】
【０００６】
【特許文献１】特開２００６−１７４０２３号公報
【特許文献２】特開２００７−１０４１９８号公報
【発明の概要】
【発明が解決しようとする課題】
【０００７】
前述のような従来のデジタルカメラは、Ｗｉｄｅ側（広角側）の画像の中にＴｅｌｅ側（望遠側）の画像を示唆することによって、ユーザが希望する構図による撮影ができるか否かが感覚的にわかるものである。
【０００８】
しかしながら、このような場合は、デジタルカメラのズーム位置を必ずＷｉｄｅ側に移動する必要がある。そのため、Ｔｅｌｅ側でデジタルカメラを操作している場合には、それよりもＷｉｄｅ側の画像を視覚的に確認することはできなかった。
【０００９】
本発明はこのような課題に鑑みてなされたものであり、ズーム位置をＴｅｌｅ側にした状態で、ユーザが希望する構図で目標とする被写体を撮影できるかどうかを確認できるデジタルカメラを提供する。
【課題を解決するための手段】
【００１０】
本発明の一実施態様によると、撮像光学系からの光束を結像して画像信号に変換し、これを画像データとして出力する撮像部と、前記画像データを表示する表示部と、撮影方向の移動を検出する移動検出部と、前記出力された画像データと前記検出された撮影方向の移動に関する情報とを取得する情報取得部と、前記情報取得部が取得した複数の画像データと撮影方向の移動に関する情報とに基づいて、画像データを合成する画像合成部と、撮影可能な構図に関する情報を指示する指示情報部と、を備え、前記指示情報部は、前記画像合成部によって合成された画像データと前記撮像光学系の画角とに基づいて、前記合成された画像データが前記撮像光学系によって撮影可能であるかを示す情報を前記表示部に表示することを特徴とする。
【００１１】
本発明の一実施態様では、このように構成することによって、ユーザが所望の構図を合成して表示できるとともに、この合成された画像が現在の撮像光学系によって撮影可能であるか否かを確認することができる。
【発明の効果】
【００１２】
本発明によると、ユーザがＴｅｌｅ側で撮影しているときにも、目標とする被写体を希望する構図で撮影できるかどうかを示す情報を表示することができ、ユーザは、ズーム倍率を変更したり、交換レンズを変更することなく、構図を確認することができる。
【図面の簡単な説明】
【００１３】
【図１】本発明の第１の実施形態のデジタルカメラの機能ブロック図である。
【図２】本発明の第１の実施形態のデジタルカメラの撮影時のフローチャートである。
【図３】本発明の第１の実施形態のデジタルカメラの画像合成のフローチャートである。
【図４】本発明の第１の実施形態のユーザが希望する画角の説明図である。
【図５】本発明の第１の実施形態のユーザがデジタルカメラ１に構図を指示する際の説明図である。
【図６】本発明の第１の実施形態のＷｉｄｅ画角の画像の一例の説明図である。
【図７】本発明の第１の実施形態のＷｉｄｅ画角の画像の一例の説明図である。
【図８】本発明の第１の実施形態の撮影条件の一例の説明図である。
【図９】本発明の第２の実施形態の操作部のブロック図である。
【図１０】本発明の第２の実施形態のＷｉｄｅ画角の画像の一例の説明図である。
【発明を実施するための形態】
【００１４】
以下に、本発明の実施形態を説明する。
【００１５】
（第１の実施形態）
図１は、本発明の第１の態実施形態のデジタルカメラ１の機能ブロック図である。
【００１６】
デジタルカメラ１は、撮像部２と、制御部３と、表示部４と、操作部５と、記憶部６と、画像処理部７と、によって構成される。
【００１７】
撮像部２は、被写体像を結像し、この像を光電変換によって電子データに変換することにより、被写体像を画像データとして撮影する。
【００１８】
表示部４は、撮影された画像データやデジタルカメラ１の動作に関わる情報を表示する。
【００１９】
操作部５は、ユーザからの操作を受け付ける。
【００２０】
記憶部６は、撮影された画像データやデジタルカメラ１の動作に関わるプログラム等を記憶する。
【００２１】
画像処理部７は、撮影された画像データや表示する情報を合成して、表示部４に表示する。
【００２２】
制御部３は、これら撮像部２と、表示部４と、操作部５と、記憶部６と、画像処理部７とを制御する。
【００２３】
撮像部２は、撮影レンズ２１１、ズーム機構２１２、ＡＦ機構２１３、ズームレンズ２１４を備える撮像光学系２１と、撮像素子等からなる信号変換部２２と、信号処理部２３と、を備える。
【００２４】
なお、本実施形態のデジタルカメラ１は、この撮像光学系２１が取り外し可能に構成されており、交換可能な交換レンズ２１として構成されている。
【００２５】
撮影レンズ２１１により結像された被写体像は、信号変換部２２において光電変換によって画像信号に変換される。変換された画像信号は信号処理部２３に送られる。信号処理部は、この画像信号から輝度、色差信号等の信号成分等を得て、これを画像データとして記憶部６１に送る。
【００２６】
ズーム機構２１２は、制御部３の倍率変更部３１によって制御される。この制御により、ズーム機構２１２はズームレンズ２１４を移動させて画角を変更する。これにより画角が変更されることにより、撮影可能な構図が変更される。
【００２７】
ＡＦ機構２１３は、制御部３のＡＦ変更部３２により制御される。この制御により、ＡＦ機構２１３は撮影レンズ２１１を移動させて焦点を変更する。これにより信号変換部２２で被写体像が結像するＡＦ（オートフォーカス）を実行する。
【００２８】
制御部３は、倍率変更部３１と、ＡＦ変更部３２と、情報取得部３３と、移動検出部３４とを備える。
【００２９】
倍率変更部３１は、操作部５のズーム操作部５１での、ユーザからのＷｉｄｅ側（広角側）やＴｅｌｅ側（望遠側）への操作に基づいて、撮像部２のズーム機構２１２を制御する。この制御によって、撮像光学系２１のズームレンズ２１４が移動されて、構図がＷｉｄｅ側やＴｅｌｅ側に変更される。
【００３０】
情報取得部３３は、操作部５の撮影操作部５２での、ユーザからの指示に基づいて、信号処理部２３から目標とする被写体の画像データを取得する。取得された画像データは、記憶部６１に一時保存される。
【００３１】
移動検出部３４は、例えば加速度センサ等により構成され、デジタルカメラ１の撮影方向が移動されたときに、この移動に関する情報を検出する。
【００３２】
表示部４は、光学ファインダ４１と、画像を表示するＬＣＤ４２とを備える。
【００３３】
光学ファインダ４１は、例えばミラー、ペンタプリズム又はリレー光学系等により構成され、撮像光学系２１又は他のファインダ光学系を通過した被写体像を、ユーザに視認可能に表示する。
【００３４】
ＬＣＤ（液晶ディスプレイ）４２は、撮像部２の信号変換部２２によって変換された画像データ、記憶部６の記憶部６１に記憶されている画像データ、又は、画像処理部７の画像合成部７１により合成された画像データ等を、ユーザに視認可能に表示する。
【００３５】
操作部５はズーム操作部５１と、撮影操作部５２とを備える。
【００３６】
ズーム操作部５１は、ユーザからのＷｉｄｅ側（広角側）やＴｅｌｅ側（望遠側）への操作を受け付けて、この操作を倍率変更部３１に指示する。
【００３７】
撮影操作部５２は、ユーザからの撮影操作、又は、希望する構図の指示を受け付けて、この操作を情報取得部３３に指示する。
【００３８】
記憶部６は記憶部６１と、保存部６２とを備える。
【００３９】
記憶部６１は、制御部３又は画像処理部７の作業用メモリとして用いられ、撮影画像や再生画像、情報取得部３３から得られた画像、合成された画像等を一時的に記憶する。
【００４０】
保存部６２は、撮影された画像データを保存する。なお、保存部６２は、メモリカード等の着脱可能なメモリによって構成されていてもよい。
【００４１】
画像処理部７は画像合成部７１と、指示情報部７２とを備える。
【００４２】
画像合成部７１は、情報取得部３３によって取得され、記憶部６１に一時的に記憶された画像データを用いて、後述する仮想Ｗｉｄｅ画角の画像データを作成する。この仮想Ｗｉｄｅ画角の画像データとは、撮像部２によって取得される画像データの画角（撮像光学系２１での画角）よりも大きい画角の画像データである。
【００４３】
指示情報部７２は、ユーザに撮影条件等を指示する指示情報を作成する。この指示情報は、ＬＣＤ４２において、例えば、仮想Ｗｉｄｅ画角の画像データや実際に表示されるＷｉｄｅ側の画像中に表示する。なお、指示情報は数値等の情報でもよい。
【００４４】
このように構成された本発明の第１の実施形態について、次に動作を説明する。
【００４５】
図２は、本発明の第１の実施形態の撮影時の処理のフローチャートである。
【００４６】
なお、ここでは、デジタルカメラ１に装着されている交換レンズ２１が、予めＴｅｌｅ側に設定されている場合を想定している。ユーザは、このＴｅｌｅ側の画角の画像を光学ファインダ４１又はＬＣＤ４２によって視認している。
【００４７】
この状態において、ユーザが撮影操作部５２を操作して構図を指示することによって、本フローチャートが実行される。
【００４８】
まず、ユーザが、撮影操作部５２を操作して、希望する構図を指示する（Ｓ２０１）。ユーザは、構図を指示するためにデジタルカメラ１の撮影方向を移動する。
【００４９】
この撮影操作部５２からの指示に基づいて、情報取得部３３は、信号処理部２３によって変換された被写体の画像データを取得する（Ｓ２０２）。
【００５０】
このとき同時に、情報取得部３３は、移動検出部３４から、デジタルカメラ１の撮影方向の移動に関する情報を取得する。
【００５１】
撮影方向の移動の情報は、取得された画像データがどの方向に向けられて撮影されたものであるかを識別するものである。この情報は、仮想Ｗｉｄｅ画角の画像データの合成に用いられる。
【００５２】
情報取得部３３は、これら取得された画像データ及び撮影方向の移動に関する情報を、記憶部６の記憶部６１に一時的に保存する（Ｓ２０３）。
【００５３】
ユーザが、操作部５の撮影操作部５２を操作することによって、画角の指示の終了が指示されると、この操作部５の撮影操作部５２からの指示に基づいて、画像合成部７１は、保存された画像データ等の情報から、仮想Ｗｉｄｅ画角の画像データを作成する（Ｓ２０４）。
【００５４】
この画像合成部７１による仮想Ｗｉｄｅ画角の画像データの作成は、例えば、取得された撮影方向とその撮影方向に対応する画像データを組として用意し、これを撮影方向の移動に応じて重ね合わせることにより合成する。そして、デジタルカメラ１が撮影する画角に対応した矩形枠に当て嵌まるように構図を成形し、最終的に仮想Ｗｉｄｅ画角の画像データが作成される。なお、このように撮影方向の移動に対応して画像を重ね合わせて、これを矩形枠に成形する手法は従来周知の技術であるため、その詳細は省略する。
【００５５】
次に、指示情報部７２は、作成された仮想Ｗｉｄｅ画角の画像データを、表示部４のＬＣＤ４２に表示する（Ｓ２０５）。
【００５６】
このとき、指示情報部７２は、表示された仮想Ｗｉｄｅ画角の画像データの画像中に、現在デジタルカメラ１に装着されている交換レンズ２１のＷｉｄｅ側で撮影可能な枠を表示する（Ｓ２０６）。
【００５７】
次に、指示情報部７２は、Ｓ２０１においてユーザが指示した構図を撮影するために必要な条件（例えば、必要なレンズの焦点距離や画角、被写体との距離、ユーザが現在いる場所から撮影に適切な場所への距離等、以降、「撮影条件」と呼ぶ）を、仮想Ｗｉｄｅ画角の画像データの画像中に表示する（Ｓ２０７）。
【００５８】
このような処理によって、Ｔｅｌｅ側での撮影時に、ユーザが希望する構図を撮影するために必要な条件を、デジタルカメラ１のＬＣＤ４２に表示することができる。
【００５９】
図３は、図２のステップＳ２０４及びＳ２０５で行われる処理のより詳細なフローチャートである。
【００６０】
画像合成部７１は、前述のように、取得した画像データから、仮想Ｗｉｄｅ画角の画像データを作成する（Ｓ２１１）。
【００６１】
ここで、ユーザは、表示された仮想Ｗｉｄｅ画角の画像データから、撮影操作部５２を操作して、希望する構図を指定する（Ｓ２１２）。なお、作成された仮想Ｗｉｄｅ画角の画像データを、そのまま希望する構図としてもよいし、作成された仮想Ｗｉｄｅ画角の画像データの一部を指定して、これを希望する構図としてもよい。
【００６２】
これを受けて、画像処理部７の指示情報部７２は、指示された構図が、現在装着されている交換レンズ２１のズーム可能な画角によって撮影可能であるか否かを判定する（Ｓ２１３）。指示された構図が、現在装着されている交換レンズ２１の画角によって撮影可能であると判定した場合は、本フローチャートによる処理を終了する。その後、ユーザは希望する画角で撮影を行う。
【００６３】
一方、指示された構図が、現在装着されている交換レンズによっては撮影可能でないと判定した場合は、ステップＳ２１４に移行する。
【００６４】
撮影可能でない場合とは、例えば、現在装着されている交換レンズのＷｉｄｅ端の画角では、指示された構図を撮影するために画角が不足しており、指示された構図の全てを撮影することができない場合である。
【００６５】
この場合は、ステップＳ２１４において、指示情報部７２は、現在装着されている交換レンズによって撮影可能な画角を示す枠を、ＬＣＤ４２に表示された仮想Ｗｉｄｅ画角の画像データに重ねて表示する（Ｓ２１４）。
【００６６】
次に、指示情報部７２は、ユーザが希望する構図を撮影するための撮影条件を、ＬＣＤ４２に表示する（Ｓ２１５）。
【００６７】
この撮影条件は、前述のように、希望する構図を全て撮影するために必要な焦点距離を備える交換レンズ２１への交換の指示や、現在のデジタルカメラ１と被写体との距離を撮影レンズ２１１の繰り出し量等から算出し、ユーザが現在位置からどの程度（被写体に対して）移動をすれば必要な画角を満たすかといった指示である。
【００６８】
ユーザは、ＬＣＤ４２に表示された撮影条件に従い、指示された交換レンズへの交換や撮影場所の移動等を行い、希望する構図での撮影を行う（Ｓ２１６）。
【００６９】
次に、この仮想Ｗｉｄｅ画角の画像データについて、具体的に説明する。
【００７０】
図４は、ユーザが希望する構図の説明図である。
【００７１】
ユーザは、デジタルカメラ１により、目標被写体３０２のうち、交換レンズ２１の画角によって、実際には構図３０３のような画像を、光学ファインダ４１又はＬＣＤ４２によって参照している。
【００７２】
一方で、このユーザは、希望する構図３０１のような構図での撮影を希望している。
【００７３】
そこで、ユーザは、デジタルカメラ１に、この構図を指示して、現在のデジタルカメラ１の交換レンズ２１で撮影可能であるか否かを問い合わせる。
【００７４】
図５は、ユーザがデジタルカメラ１に構図を指示する際の説明図である。
【００７５】
ユーザは、操作部５の撮影操作部５２を操作することによって、デジタルカメラ１に希望する構図の指示を開始する旨を伝える。
【００７６】
そして、ユーザは、デジタルカメラ１の撮影方向を変化させて、希望する構図を指示する。
【００７７】
具体的には、図５に示すように、目標被写体３０２のうち、希望する構図の上側画像３０４から指示を開始し、その後連続して、希望する構図の右中側画像３０５、下側画像３０６へと撮影方向を移動させる。
【００７８】
その後、操作部５の撮影操作部５２を操作することによって、デジタルカメラ１に構図の指示を終了する旨を伝える。
【００７９】
このとき、情報取得部３３は、ユーザからの構図の指示の開始を伝えられたときに、信号変換部２２及び信号処理部２３からの画像データの取得を開始する。この画像データの取得とともに、移動検出部３４によって、デジタルカメラ１の撮影方向のデータも取得する。取得された画像データ及び撮影方向の情報は、記憶部６１に一時的に記憶される。
【００８０】
これら画像データ及び撮影方向のデータは、ユーザから構図の指示の終了が伝えられるまで続けられる。なお、画像データは、所定間隔での静止画として取得してもよいし、動画として連続的に取得してもよい。
【００８１】
ユーザからの構図の指示の終了が伝えられた場合は、次に、画像合成部７１によって、仮想Ｗｉｄｅ画角の画像データを作成する。
【００８２】
具体的には、画像合成部７１は、前述のようにして取得した画像データ（静止画又は動画）と撮影方向のデータとから、ユーザが指示した構図に相当する仮想Ｗｉｄｅ画角の画像データを作成する。作成された画像は、記憶部６１に一時的に記憶するとともに、表示部４のＬＣＤ４２に表示する。
【００８３】
図６は、画像合成部７１によって作成された仮想Ｗｉｄｅ画角の画像データの一例の説明図である。
【００８４】
画像合成部７１は、前述のように取得した画像データ及び撮影方向のデータから、仮想Ｗｉｄｅ画角の画像データを作成する。
【００８５】
なお、デジタルカメラ１が撮影する画角は矩形であるが、人為的に移動される撮影方向は必ずしもこの画角に一致しない。そのため、図６（Ａ）に示す網掛け部分のように、構図の周囲付近は有効な画像データを得られずに不鮮明となる場合がある。
【００８６】
このように作成された仮想Ｗｉｄｅ画角の画像データに対して、指示情報部７２は、現在デジタルカメラ１に装着されている交換レンズ２１が撮影可能な枠を表示する。
【００８７】
例えば、図６（Ｂ）に示す例では、交換レンズ２１が撮影可能なＷｉｄｅ側の画角の枠４０２とＴｅｌｅ側の画角の枠４０３とを表示している。
【００８８】
この表示により、ユーザは、現在のデジタルカメラ１の構成（装着されている交換レンズ２１）での撮影可能な範囲を知ることができる。
【００８９】
図７は、画像合成部７１によって作成された仮想Ｗｉｄｅ画角の画像データの別の例の説明図である。
【００９０】
画像合成部７１は、前述のように取得した画像データ及び撮影方向のデータから、仮想Ｗｉｄｅ画角の画像データを作成する。
【００９１】
このように作成された仮想Ｗｉｄｅ画角の画像データに対して、指示情報部７２は、現在デジタルカメラ１に装着されている交換レンズ２１が撮影可能な情報を表示する。
【００９２】
この図７（Ａ）に示す例では、現在デジタルカメラ１に装着されている交換レンズ２１によって撮影される画角の画像（Ｔｅｌｅ画角の画像）４０５をＬＣＤ４２の全面に表示する。そして、その一部に、作成された仮想Ｗｉｄｅ画角の画像データを同時に表示することもできる（４０６）。
【００９３】
また、図７（Ｂ）に示すように、ユーザの操作等により、生成された仮想Ｗｉｄｅ画角の画像データをＬＣＤ４２の全面に表示するとともに、Ｔｅｌｅ側画角の画像の位置４０７を、ＬＣＤ４２中に示すようにしてもよい。
【００９４】
このように、指示情報部７２によって、作成された仮想Ｗｉｄｅ画角の画像データと、Ｔｅｌｅ側の画角とを同時にＬＣＤ４２に表示するように構成することもできる。
【００９５】
図８は、指示情報部７２によって表示される撮影条件の一例の説明図である。
【００９６】
指示情報部７２は、前述のような仮想Ｗｉｄｅ画角の画像データを撮影できるか否かの情報に加えて、ユーザが希望する構図を撮影するための撮影条件をＬＣＤ４２に表示してもよい。
【００９７】
撮影条件は、図８に示すように、例えば、目標被写体の大きさ、被写体からの距離、ズームレンズの位置（焦点距離）、現在装着されている交換レンズ２１の情報等を表示する。
【００９８】
そしてさらに、Ｔｅｌｅ側の画角の画像と、作成された仮想Ｗｉｄｅ画角の画像データとを比較できるように並べて表示してもよい。
【００９９】
以上のように、本発明の第１の実施形態では、ユーザがＴｅｌｅ側で撮影しているときでも、目標の被写体を希望する構図で撮影できるか否かの情報を、デジタルカメラ１が表示することができる。
【０１００】
（第２実施形態）
次に、第２の実施形態について説明する。
【０１０１】
前述の第１の実施形態では、作成された仮想Ｗｉｄｅ画角の画像データに対して、デジタルカメラ１が、現在装着されている交換レンズ２１によって撮影可能であるか否かの情報を表示する。
【０１０２】
これに対して第２の実施形態は、操作部５に、レンズ情報入力部５３を備え、ユーザによって入力されたレンズ情報に関する情報を、作成された仮想Ｗｉｄｅ画角の画像データとともにＬＣＤ４２に表示するように構成した。
【０１０３】
なお、第１の実施形態と同一の構成には同一の符号を付し、その説明は省略する。
【０１０４】
図９は、第２の実施形態の操作部５の説明図である。
【０１０５】
操作部５は、ズーム操作部５１及び撮影操作部５２に加え、レンズ情報入力部５３を備える。
【０１０６】
このレンズ情報入力部５３は、ユーザの操作によって、交換レンズ２１のレンズ情報（例えば、焦点距離、ズーム範囲等）を入力する。このレンズ情報は、記憶部６１に記憶される。
【０１０７】
なお、レンズ情報は、これに限られることなく、メーカの型番やレンズの性能を示す情報でもよい。また、交換レンズ２１のズーム位置はどこでもよい。
【０１０８】
このレンズ情報は、指示情報部７２による撮影条件の表示に用いられる。
【０１０９】
すなわち、前述の第１の実施形態の図６（Ｂ）に示したように、現在デジタルカメラ１に装着されている交換レンズ２１が撮影可能な枠を表示するときに、ユーザが入力したレンズ情報に基づく画角を示す枠を表示する。
【０１１０】
具体的には、図１０に示すように、作成された仮想Ｗｉｄｅ画角の画像データに、ユーザが入力したレンズ情報に含まれる交換レンズ２１の画角の枠を表示する。
【０１１１】
この図１０の例では、仮想Ｗｉｄｅ画角の画像データに対して、この画像データの構図とほぼ同一の画角を有する広角レンズの画角の枠７０１と、この広角レンズよりも画角が小さい標準レンズの画角の枠７０２と、さらに画角が小さい望遠レンズの画角の枠７０３と、さらに画角が小さい超望遠レンズの画角の枠７０４と、が表示されている。
【０１１２】
なお、現在デジタルカメラ１に装着されている交換レンズ２１の画角の枠と、他の交換レンズ２１の画角の枠との色を変えるなど、表示を異ならせてもよい。
【０１１３】
この表示により、ユーザは、現在デジタルカメラ１に所持している交換レンズ２１だけでなく、他に所持している交換レンズ２１による撮影可能な範囲を知ることができる。
【０１１４】
以上のように、本発明の第２の実施形態では、第１の実施の形態と同様の効果に加え、目標の被写体を希望する構図で撮影できるか否かについて、ユーザが入力した他の交換レンズ２１に関する情報をも含めて、デジタルカメラ１が表示することができる。
【０１１５】
なお、前述した第１及び第２の実施形態では、仮想Ｗｉｄｅ画角の画像データ等を表示部４のＬＣＤ４２に表示するように構成したが、このような構成に限られない。例えば、光学ファインダ４１が、その内部にＬＣＤ等の表示装置を備える、いわゆるＥＶＦ（Ｅｌｅｃｔｏｒｏｎｉｃ  Ｖｉｅｗ  Ｆｉｎｄｅｒ）として構成され、この光学ファインダ４１に表示してもよい。また、有機ＥＬやその他の表示装置によって光学ファインダ４１又はＬＣＤ４２が構成されていてもよい。
【符号の説明】
【０１１６】
１    デジタルカメラ
２    撮像部
３    制御部
４    表示部
５    操作部
６    記憶部
７    画像処理部
２１    撮像光学系（交換レンズ）
３３    情報取得部
３４    移動検出部
４１    光学ファインダ
４２    ＬＣＤ（液晶ディスプレイ）
５２    撮影操作部
５３    レンズ情報入力部
６１    記憶部
７１    画像合成部
７２    指示情報部
【図１】
2010268029.tif 000003
【図２】
2010268029.tif 000004
【図３】
2010268029.tif 000005
【図４】
2010268029.tif 000006
【図５】
2010268029.tif 000007
【図６】
2010268029.tif 000008
【図７】
2010268029.tif 000009
【図８】
2010268029.tif 000010
【図９】
2010268029.tif 000011
【図１０】
2010268029.tif 000012